(57)【要約】【課題】光ピックアップが光ディスクの外縁から外側に突出する量を低減し、光ディスク装置の小型化を実現することが可能な光ピックアップ及びそれを使用した光ディスク装置を提供する。【解決手段】対物レンズ１７を光ディスクの外周側方向に片寄せて配置する。また、複数の弾性支持部材２０ａ１，２０ａ２，２０ｂ１，２０ｂ２による支持の中心Ｓが、可動部の重心Ｇと一致するようにレンズ保持部材１８の光ディスクの内周側に対応する取り付け部１９ａ１，１９ａ２を、光ディスクの外周側に対応する取り付け部１９ｂ１，１９ｂ２よりも光ディスク面に近接して配置する。【選択図】図２
2007328868.tif 000002
【特許請求の範囲】
【請求項１】
少なくとも対物レンズ、前記対物レンズを保持するレンズ保持部材を有する可動部と、支持基台を有する固定部とを含み、前記レンズ保持部材の両側面にはその高さ方向に弾性支持部材を取り付けるための複数の取り付け部が形成され、前記可動部は前記固定部に対して前記レンズ保持部材の前記複数の取り付け部と前記支持基台との間に固定された複数の弾性支持部材によって支持された光ピックアップにおいて、
前記対物レンズは光ディスクの外周側方向に片寄って配置され、且つ、前記複数の弾性支持部材による支持の中心が、前記可動部の重心と一致するように前記レンズ保持部材の両側面に設けられた取り付け部のうち光ディスクの内周側に対応する取り付け部が、光ディスクの外周側に対応する取り付け部より光ディスク面に近接して配置されていることを特徴とする光ピックアップ。
【請求項２】
前記光ディスクの外周側に対応する取り付け部は、光ディスクの記録トラックの接線方向に突出するように形成されていることを特徴とする請求項１に記載の光ピックアップ。
【請求項３】
光ディスクの記録トラックに集光するようにレーザ光を照射して情報信号の記録または再生を行う光ピックアップを備えた光ディスク装置において、前記光ピックアップは、請求項１又は２に記載の光ピックアップであることを特徴とする光ディスク装置。
【発明の詳細な説明】
【技術分野】
【０００１】
本発明は、レーザ光を光ディスクの情報信号記録層に集光させることによって、情報信号の記録または再生を行う光ピックアップ、及びそれを使用した光ディスク装置に関するものである。
【背景技術】
【０００２】
従来より、光ディスクに対して情報信号の記録や再生を行う光ディスク装置が実用化されている。図４はこのような光ディスク装置の構成の一例を示す。ここで１は光ピックアップ、２は光ディスク１を回転駆動するスピンドルモータ、３は光ピックアップ１を支持するガイド軸である。４はこれら光ピックアップ１、スピンドルモータ２、ガイド軸３等を搭載するシャーシである。
【０００３】
光ピックアップ１は光学基台５、光学基台５上に搭載されたレーザ光源６、偏光ビームスプリッタ７、コリメータレンズ８、１／４波長板９、ミラー１０、センサレンズ１１、センサ１２、アクチュエータ１３より構成されている。
【０００４】
図５はアクチュエータ１３の構成を示す。図５（ａ）は上方から見た図、図５（ｂ）は図５（ａ）のα−α線における断面図である。アクチュエータ１３は、アクチュエータ基台１４、アクチュエータ基台１４上に固定された磁気回路１５、支持基台１６、及びレンズ保持部材１８より構成されている。
【０００５】
レンズ保持部材１８は、少なくとも上面Ｔ（光ディスクと対向する面）、及び内周側と外周側の側壁Ｗａ，Ｗｂとで構成され、その内部にはミラー１０を配置するための空間が形成されている。
【０００６】
レンズ保持部材１８の上面Ｔには対物レンズ１７が取り付けられ、対物レンズ１７の周囲には対物レンズ１７を接着するための複数の凹部Ｒが設けられている。また、対物レンズ１７の両側には対物レンズ１７と光ディスクの接触を防止するための突出した保護部材２３ａ，２３ｂが設けられている。
【０００７】
また、レンズ保持部材１８の側壁Ｗａ，Ｗｂには、内周側に突出した取り付け部１９ａ１，１９ａ２と、外周側に突出した取り付け部１９ｂ１，１９ｂ２がそれぞれ形成されている。更に、レンズ保持部材１８には駆動コイル（図示せず）が設けられており、その巻線端末は取り付け部１９ａ１，１９ａ２，１９ｂ１，１９ｂ２の周囲に巻き付けられている。
【０００８】
更に、その巻き付け部を半田付けすることによってレンズ保持部材１８が２対（４本）の線状で弾性を有する弾性支持部材２０ａ１，２０ａ２，２０ｂ１，２０ｂ２の先端に接続固定されている。
【０００９】
一方、弾性支持部材２０ａ１，２０ａ２，２０ｂ１，２０ｂ２の基端は支持基台１６に固定され、この構造によりレンズ保持部材１８は光ディスク１に対して垂直方向及びラジアル方向への変位が自在となるように保持されている。そして、駆動コイルに供給する電流と磁気回路１５が発生する磁束との間で発生する電磁力によって、レンズ保持部材１８を駆動することができる。
【００１０】
情報信号の記録または再生を行うための光ディスクは可逆的に相状態が変化し得る相変化材料から成る情報信号記録層を備えており、この情報信号記録層には螺旋状または同心円状の記録トラックが形成されている。情報信号記録層は予めピット（凹凸）によって情報信号を形成した金属反射膜であってもよい。Ｐは光ピックアップ１によるレーザ光の照射位置である。
【００１１】
情報信号の記録または再生を行う場合、まず、スピンドルモータ２により光ディスクを回転駆動する。この状態で、レーザ光源６より発生させたレーザ光を、偏光ビームスプリッタ７を透過させ、コリメータレンズ８によって平行光とする。更に、１／４波長板９を透過させることによって直線偏光から円偏光に変化させ、これをミラー１０で９０度反射させて、対物レンズ１７によって光ディスクの情報信号記録層上に微小な光スポットに集光するように照射する。
【００１２】
情報信号記録層からの反射光は対物レンズ１７により再び平行光となり、１／４波長板９の透過によって円偏光から直線偏光に変化する。この直線偏光は往路の入射光に対して偏光方向が９０度回転しているので、コリメータレンズ８を透過後、偏光ビームスプリッタ７によって反射され、センサレンズ１１によってセンサ１２に集光される。
【００１３】
センサ１２は複数に分割された受光面を備えており、各受光面の検出信号より、制御回路（図示せず）によってフォーカスエラー信号とトラッキングエラー信号が生成され、これらのエラー信号に基づく制御電流がアクチュエータ１３に供給される。アクチュエータ１３はこの制御電流によって、可動部を光ディスクに対して垂直な方向と記録トラックに直交するラジアル方向とに駆動するのである。
【００１４】
このようにして光スポットは、光ディスクが面振れにより垂直方向に変位しても、これに追従して記録トラック上に正確に集光するようにフォーカスが制御される。また、記録トラックが偏芯によりラジアル方向に変位してもこれに追従しながら走査するようにトラッキングが制御される。
【００１５】
このような制御状態を維持しつつ、記録時には情報信号によってパルス変調された高強度の記録光を情報信号記録層に照射して、繰り返し加熱冷却を行う。そして、そのプロセスの違いによってアモルファス相、または結晶相に相状態が変化した記録マークを情報信号として記録する。また、再生時には低強度の再生光を情報信号記録層に照射し、記録マークからの反射光をセンサによって検出し、これより情報信号を再生する。
【００１６】
また光ピックアップ１はモータ等の移送手段（図示せず）により駆動され、レーザ光の照射位置Ｐを光ディスクの記録トラックの最内周Ｔ１から最外周Ｔ２まで、任意の半径位置に移動させることが可能である（図６参照）。
【００１７】
特に、近年はこのような光ディスク装置の大容量化によって、ポータブル機器、例えば、デジタルビデオカメラ等の動画記録装置への利用が増加している。また光ディスクの一般的な仕様は直径１２ｃｍであるが、ポータブル機器への内蔵を目的として直径８ｃｍに小型化した光ディスクと、専用の光ディスク装置も実用化されている。なお、従来の光ディスク装置は、例えば、特許文献１〜３に記載されている。
【特許文献１】特開２００１−２９７４７８号公報
【特許文献２】特開２００１−３１９３５５号公報
【特許文献３】特開２００５−３０２１６１号公報
【発明の開示】
【発明が解決しようとする課題】
【００１８】
このようなポータブル機器に内蔵される光ディスク装置においては、より一層の小型化、軽量化が重要な課題となっている。しかし光ピックアップの形状が、光ディスク装置の小型化にとっての制約となっている。これについて以下に説明する。
【００１９】
図６は従来の光ディスク装置において、光ピックアップ１が光ディスクの記録トラックの最外周Ｔ２に位置している状態を示している。Ｔ１は光ディスクの記録トラックの最内周、２２は光ディスクの外縁、Ｐは光ピックアップ１からのレーザ光の照射位置を示す。
【００２０】
この状態では光ピックアップ１の一部が、光ディスクの外縁２２よりも外側に突出する。特にレンズ保持部材１８の外周側に突出する取り付け部１９ｂ１，１９ｂ２の形状や配置が、この突出の主な要因となっている。
【００２１】
その結果、シャーシ４を光ディスクの外形寸法に近づけるべく、最小限の寸法で実現したとしても、この部分だけが光ディスクの外縁２２から大きく突出するため、光ディスク装置の小型化の制約となっていた。
【００２２】
本発明の目的は、光ピックアップが光ディスクの外縁から外側に突出する量を低減し、光ディスク装置の小型化を実現可能な光ピックアップ及びそれを使用した光ディスク装置を提供することにある。
【課題を解決するための手段】
【００２３】
本発明は、対物レンズを光ディスクの外周側方向に片寄って配置し、且つ、複数の弾性支持部材による支持の中心が、可動部の重心と一致するように、レンズ保持部材の両側面に設けられた取り付け部のうち、光ディスクの内周側に対応する取り付け部を、光ディスクの外周側に対応する取り付け部より光ディスク面に近接して配置する構成とする。
【発明の効果】
【００２４】
本発明によれば、光ピックアップが光ディスクの記録トラックの最外周に移動した場合の、光ディスクの外縁からの突出量を低減することが可能となる。この効果は特に直径の小さい光ディスクに対してより顕著である。その結果、シャーシを光ディスクの外形寸法に近づけた、小型の光ディスク装置が実現でき、これを使用したポータブル機器の小型化、軽量化が可能となる。
【発明を実施するための最良の形態】
【００２５】
次に、発明を実施するための最良の形態について図面を参照して詳細に説明する。図１は本発明に係る光ディスク装置の一実施形態の構成を示す。図１では図４の従来装置と同一部分には同一符号を付しているが、図４との違いは、特に、アクチュエータ１３の構造にある。
【００２６】
そのため、本発明に係る光ディスク装置のシャーシ４及び光ピックアップ１を除く構成及び動作は図４に示す従来装置と同様であるので詳細な説明は省略する。本実施形態では、シャーシ４、光ピックアップ１の構成、特に、アクチュエータ１３の詳細な構成について説明する。
【００２７】
図２は本発明に係る光ピックアップのアクチュエータ１３の一実施形態の構成を示す。図２（ａ）は側面図、図２（ｂ）は上方から見た平面図、図２（ｃ）は図２（ｂ）のβ-β線における断面図である。なお、図２では図５の従来のアクチュエータと同一部分には同一符号を付している。アクチュエータ１３は、アクチュエータ基台１４、アクチュエータ基台１４上に固定された磁気回路１５ａ，１５ｂ、支持基台１６、及びレンズ保持部材１８より構成されている。
【００２８】
レンズ保持部材１８は、少なくとも上面Ｔ（光ディスクと対向する面）、及び内周側と外周側の側壁Ｗａ，Ｗｂとで構成され、その内部にはミラー１０を配置するための空間が形成されている。
【００２９】
レンズ保持部材１８の上面Ｔには対物レンズ１７が取り付けられ、対物レンズ１７の周囲には対物レンズ１７を接着するための複数の凹部Ｒが設けられている。対物レンズ１７の両側には対物レンズ１７と光ディスクの接触を防止するための突出した保護部材２３ａ，２３ｂが設けられている。
【００３０】
レンズ保持部材１８の側壁Ｗａには突出した取り付け部１９ａ１，１９ａ２が、側壁Ｗｂには取り付け部１９ｂ１，１９ｂ２がそれぞれ形成されている。また、レンズ保持部材１８には駆動コイル（図示せず）が設けられており、その巻線端末は取り付け部１９ａ１，１９ａ２，１９ｂ１，１９ｂ２の周囲に巻き付けられている。
【００３１】
更に、その巻き付け部を半田付けすることによってレンズ保持部材１８が２対（４本）の線状で弾性を有する弾性支持部材２０ａ１，２０ａ２，２０ｂ１，２０ｂ２の先端に接続固定されている。
【００３２】
一方、弾性支持部材２０ａ１，２０ａ２，２０ｂ１，２０ｂ２の基端は支持基台１６に固定され、この構造によりレンズ保持部材１８は光ディスクに対して垂直方向及びラジアル方向への変位が自在となるように保持されている。そして、駆動コイルに供給される電流と磁気回路１５ａ，１５ｂが発生する磁束との間で発生する電磁力によって、レンズ保持部材１８を駆動することができる。
【００３３】
その場合、対物レンズ１７、保護部材２３ａ、２３ｂ等を含むレンズ保持部材１８は、支持基台（固定部）１６に対して複数の弾性支持部材２０ａ１，２０ａ２，２０ｂ１，２０ｂ２により可動部として支持されている。
【００３４】
ここで、対物レンズ１７より照射されるレーザ光の光ディスク上での位置Ｐにおける記録トラックの接線（図中その方向を矢印Ａで示す）を含み、光ディスクに対して垂直な仮想平面Ｓａによって内側領域と外側領域に分離されている。
【００３５】
内側領域（光ディスクの中心を含む領域）には弾性支持部材２０ａ１，２０ａ２が互いに略平行になるように配置されている。反対の外側領域には弾性支持部材２０ｂ１，２０ｂ２が互いに略平行になるように配置されている。
【００３６】
このように、弾性支持部材２０ａ１，２０ａ２，２０ｂ１，２０ｂ２を一方の領域に偏らせることなく、両側に略対称に配置することは、制御動作時のレンズ保持部材１８のバランスを維持するために必要である。また弾性支持部材２０ａ１，２０ａ２，２０ｂ１，２０ｂ２の長さをすべて略同一にし、弾性を等しくするのが望ましい。
【００３７】
また対物レンズ１７はレンズ保持部材１８の中心ではなく、光ディスクの外周方向（図中矢印Ｂで示す）に偏らせて取り付けられ、外周側の保護部材２３ｂは側壁Ｗｂの直近に設けられている。
【００３８】
更に保護部材２３ｂの下方において、レンズ保持部材１８の側壁Ｗｂの一部を切り欠いて端面が形成され、この端面から記録トラックの接線方向に突出するように外周側の取り付け部１９ｂ１，１９ｂ２が形成されている。
【００３９】
これにより取り付け部１９ｂ１，１９ｂ２と保護部材２３ｂとの干渉が避けられ、しかも外周側への突出が最小限に抑えられる。一方内周側の保護部材２３ａと側壁Ｗａとの間には十分な距離があるため、取り付け部１９ａ１，１９ａ２の配置に関しての制約は少なく、内周側に突出し、外周側の取り付け部１９ｂ１，１９ｂ２よりも光ディスクに近接して配置されている。
【００４０】
ところで一般的に、レンズ保持部材１８は上面Ｔに対物レンズ１７が取り付けられることに加え、特にその周囲においては共振による振動を防止するため、肉厚にする等機械的強度を十分に高めた構造とする必要がある。このため、可動部全体の重心はレンズ保持部材１８の高さ方向の中心よりも、上方（光ディスクに近い方向）に位置することになる。
【００４１】
図２（ｃ）において、×印で示すＧは可動部全体の重心の位置である。もし仮に取り付け部１９ａ１，１９ａ２を、取り付け部１９ｂ１，１９ｂ２と同一の高さに配置したとする。この時、○印で示す支持の中心Ｓ’（取り付け部１９ａ１，１９ａ２，１９ｂ１，１９ｂ２において弾性支持部材２０ａ１，２０ａ２，２０ｂ１，２０ｂ２から受ける反力の合力の作用位置）は重心Ｇよりも低くなり、制御動作時のバランスの維持が困難となる。
【００４２】
そこで本発明においては、外側領域に配置された弾性支持部材２０ｂ１，２０ｂ２の取り付け部１９ｂ１，１９ｂ２を下方に（光ディスクから遠ざけて）配置している。逆に内側領域に配置された弾性支持部材２０ａ１，２０ａ２の取り付け部１９ａ１，１９ａ２は上方に（光ディスクに接近させて）配置している。
【００４３】
これによって支持の中心Ｓ（取り付け部１９ａ１，１９ａ２，１９ｂ１，１９ｂ２において弾性支持部材２０ａ１，２０ａ２，２０ｂ１，２０ｂ２から受ける反力の合力の作用位置）を可動部分の重心Ｇに一致させている。これによって制御動作時のバランスの維持性能が高めることができるのである。
【００４４】
なお、図２の形態において、支持の中心Ｓとは図２（ｃ）に示すように対角同士の弾性支持部材１９ａ１と１９ｂ２とを結ぶ直線と、弾性支持部材１９ａ２と１９ｂ１とを結ぶ直線との交点の位置に相当する。この交点と光ピックアップ１の可動部の重心とを一致させることで、制御動作時のバランス性能を確保している。
【００４５】
図３は本発明に係る光ピックアップが光ディスクの記録トラックの最外周Ｔ２に位置している状態を示す。対物レンズ１７を、取り付け部１９ｂ２，１９ｂ２に近寄せて取り付けたことにより、光ピックアップ１の光ディスクの外縁２２よりも外側への突出量は、図６に示す従来の光ピックアップに比較して低減できる。
【００４６】
また、上述のように対物レンズ１７を光ディスクの外周側方向に偏らせて取り付けていても、支持の中心Ｓと光ピックアップ１の可動部の重心Ｇを一致させているため、制御動作時のバランス維持性能を確保できる。
【００４７】
その結果、より一層シャーシ４を光ディスクの外形寸法に近づけることができ、光ディスク装置を小型化することが可能となる。
【図面の簡単な説明】
【００４８】
【図１】本発明に係る光ディスク装置の一実施形態を示す平面図である。
【図２】本発明に係る光ディスク装置のアクチュエータの一実施形態を示す図である。
【図３】本発明に係る光ディスク装置において光ピックアップが光ディスクの記録トラックの最外周に位置した状態を示す図である。
【図４】従来例の光ディスク装置を示す平面図である。
【図５】従来例の光ディスク装置におけるアクチュエータの構成を示す図である。
【図６】従来の光ディスク装置において光ピックアップが光ディスクの記録トラックの最外周に位置した状態を示す図である。
【符号の説明】
【００４９】
１  光ピックアップ
２  スピンドルモータ
３  ガイド軸
４  シャーシ
５  光学基台
６  レーザ光源
７  偏光ビームスプリッタ
８  コリメータレンズ
９  １／４波長板
１０  ミラー
１１  センサレンズ
１２  センサ
１３  アクチュエータ
１４  アクチュエータ基台
１５ａ，１５ｂ  磁気回路
１６  支持基台
１７  対物レンズ
１８  レンズ保持部材
１９ａ１，１９ａ２，１９ｂ１，１９ｂ２  取り付け部
２０ａ１，２０ａ２，２０ｂ１，２０ｂ２  弾性支持部材
２２  光ディスクの外縁
２３ａ，２３ｂ  保護部材
Ｔ１  記録トラックの最内周
Ｔ２  記録トラックの最外周
【図１】
2007328868.tif 000003
【図２】
2007328868.tif 000004
【図３】
2007328868.tif 000005
【図４】
2007328868.tif 000006
【図５】
2007328868.tif 000007
【図６】
2007328868.tif 000008